(57)【要約】【課題】投写画像の説明を行う際の利便性を向上させることが可能なプロジェクタを提供する。【解決手段】プロジェクタ１は、その上面に、画像の表示及びタッチ操作が可能なタッチスクリーン３０を備えている。このため、投写されている画像と同一の画像（入力画像Ｇｉ）をタッチスクリーン３０に表示することができるとともに、タッチスクリーン３０に表示されている入力画像Ｇｉ上をタッチ操作することにより、入力画像Ｇｉの所望の位置を明示するための画像（ポインタＰＴ）を表示させたり、入力画像Ｇｉ上に手書きの画像（メモＭＭ）を書き込んだりすることが可能になっている。【選択図】図１
2008122650.tif 000002
【特許請求の範囲】
【請求項１】
画像信号が入力される画像入力部と、
前記画像信号に応じた入力画像に対応する操作領域を有し、当該操作領域内のタッチ操作された位置を検出するタッチパネルと、
前記タッチパネルが検出した操作位置に基づいて、前記入力画像に対して、前記操作位置に対応する位置を明示する画像を合成する画像合成部と、
前記画像合成部によって合成された画像を投写する画像投写部と、
を備えたことを特徴とするプロジェクタ。
【請求項２】
請求項１に記載のプロジェクタであって、
前記タッチパネルの操作領域になされたタッチ操作の軌跡を記憶する描画メモリを備え、
前記画像合成部は、前記描画メモリに記憶された前記軌跡を、前記入力画像に合成することを特徴とするプロジェクタ。
【請求項３】
請求項１又は２に記載のプロジェクタであって、
前記入力画像を表示する表示部を備え、
前記タッチパネルは、光透過性を有し、前記操作領域が前記表示部に表示されている前記入力画像と重なるように前記表示部上に備えられていることを特徴とするプロジェクタ。
【請求項４】
請求項２又は３に記載のプロジェクタであって、
前記入力画像に前記軌跡を合成して前記画像投写部から投写する状態と、前記入力画像に前記軌跡を合成せずに前記画像投写部から投写する状態とを切り換える合成切換手段を備えたことを特徴とするプロジェクタ。
【請求項５】
請求項２〜４のいずれか１項に記載のプロジェクタであって、
前記描画メモリに記憶された前記軌跡を含む画像を記憶媒体に記憶させる画像記憶手段を備えたことを特徴とするプロジェクタ。
【請求項６】
請求項２に記載のプロジェクタであって、
前記入力画像を表示する表示部と、
前記表示部に前記入力画像の一部を拡大して表示させる拡大表示手段と、を備え、
前記タッチパネルは、光透過性を有し、前記操作領域が前記表示部に表示されている前記入力画像と重なるように前記表示部上に備えられ、
前記画像合成部は、前記表示部に前記入力画像の一部が拡大されて表示されている状態で前記タッチパネルの前記操作領域にタッチ操作がなされた場合に、当該タッチ操作の軌跡を縮小して前記入力画像に合成することを特徴とするプロジェクタ。
【発明の詳細な説明】
【技術分野】
【０００１】
本発明は、入力される画像信号に応じた画像を投写するプロジェクタに関する。
【背景技術】
【０００２】
企業や学校において、会議室や教室などにプロジェクタを持ち込み、発表（説明）用のコンテンツをプロジェクタから投写して、プレゼンテーションや授業を行う事例が増えている。従来、投写されたコンテンツの所定の位置に注目させる際には、説明者は、指示棒やレーザポインタを用いて投写面上を指し示していた。また、コンテンツの補足説明をする場合には、コンテンツをホワイトボードに投写させたうえで、このホワイトボードに対してコンテンツ（投写画像）に重畳するように説明内容を手書きしていた（例えば、特許文献１参照）。
【０００３】
【特許文献１】特開平１１−３０５３３５号公報
【発明の開示】
【発明が解決しようとする課題】
【０００４】
しかしながら、上記のような方法でプレゼンテーションや授業を行う際には、プロジェクタの他に、指示棒やレーザポインタ、ホワイトボード、マジックペン等が必要となるため、それらを事前に用意しておかなければならなかった。また、指示棒を用いて指示したり、ホワイトボードを用いて補足説明したりする際には、説明者は投写面の近傍にいなければならないが、プロジェクタの操作、或いはプロジェクタに画像を供給するための装置（例えば、コンピュータ）の操作を行うたびに、投写面から離れなければならず、説明者の利便性が損なわれていた。
【０００５】
本発明は上記問題に鑑みてなされたものであり、その目的は、投写画像の説明を行う際の利便性を向上させることが可能なプロジェクタを提供することにある。
【課題を解決するための手段】
【０００６】
本発明のプロジェクタは、画像信号が入力される画像入力部と、前記画像信号に応じた入力画像に対応する操作領域を有し、当該操作領域内のタッチ操作された位置を検出するタッチパネルと、前記タッチパネルが検出した操作位置に基づいて、前記入力画像に対して、前記操作位置に対応する位置を明示する画像を合成する画像合成部と、前記画像合成部によって合成された画像を投写する画像投写部と、を備えたことを特徴とする。
【０００７】
このプロジェクタによれば、入力画像に対応する操作領域を有したタッチパネルを備えているため、タッチパネルの操作領域をタッチ操作することにより、入力画像上の所望の位置を明示することが可能となる。この結果、支持棒やレーザポインタを用いることなく入力画像上の所望の位置に注目させることが可能となるため、プロジェクタを用いた発表や説明を行う際の利便性が向上する。
【０００８】
このプロジェクタにおいて、前記タッチパネルの操作領域になされたタッチ操作の軌跡を記憶する描画メモリを備え、前記画像合成部は、前記描画メモリに記憶された前記軌跡を、前記入力画像に合成することが望ましい。
【０００９】
このプロジェクタによれば、画像合成部が、タッチパネルの操作領域になされたタッチ操作の軌跡を入力画像上に合成するため、入力画像上に手書きの画像（文字や図形等）を重畳することが可能となる。この結果、補足説明を行うために投写面の近傍に移動する必要がなくなるうえ、手書きするためのホワイトボードやマジックペンを準備する必要がなくなり、利便性が向上する。
【００１０】
このプロジェクタにおいて、前記入力画像を表示する表示部を備え、前記タッチパネルは、光透過性を有し、前記操作領域が前記表示部に表示されている前記入力画像と重なるように前記表示部上に備えられていることが望ましい。
【００１１】
このプロジェクタによれば、入力画像を表示する表示部を備え、光透過性を有するタッチパネルが表示部上に備えられているため、入力画像上の所望の位置を明示させたり、入力画像上に画像を手書きしたりする際に、重なって表示される入力画像を見ながらタッチ操作をすることが可能となる。この結果、明示する位置や、手書き画像を書き込む位置を、より正確に特定することが可能となる。
【００１２】
このプロジェクタにおいて、前記入力画像に前記軌跡を合成して前記画像投写部から投写する状態と、前記入力画像に前記軌跡を合成せずに前記画像投写部から投写する状態とを切り換える合成切換手段を備えることが望ましい。
【００１３】
このプロジェクタによれば、軌跡（手書きの画像）の合成の有無を切り換える合成切換手段を備えているため、手書きの画像を容易に非表示にすることが可能となるうえ、一度非表示にした手書きの画像を容易に復元することが可能となる。
【００１４】
このプロジェクタにおいて、前記描画メモリに記憶された前記軌跡を含む画像を記憶媒体に記憶させる画像記憶手段を備えることが望ましい。
【００１５】
このプロジェクタによれば、画像記憶手段が、手書きした画像を記憶媒体に保存するため、後でこれを参照することが可能となり、利便性が向上する。
【００１６】
このプロジェクタにおいて、前記入力画像を表示する表示部と、前記表示部に前記入力画像の一部を拡大して表示させる拡大表示手段と、を備え、前記タッチパネルは、光透過性を有し、前記操作領域が前記表示部に表示されている前記入力画像と重なるように前記表示部上に備えられ、前記画像合成部は、前記表示部に前記入力画像の一部が拡大されて表示されている状態で前記タッチパネルの前記操作領域にタッチ操作がなされた場合に、当該タッチ操作の軌跡を縮小して前記入力画像に合成することが望ましい。
【００１７】
このプロジェクタによれば、入力画像の一部が表示部に拡大表示された状態でタッチ操作がなされた場合に、そのタッチ操作の軌跡を縮小して入力画像に合成するため、細かな文字や図形等を手書きすることが容易になる。
【発明を実施するための最良の形態】
【００１８】
以下、本発明の実施形態に係るプロジェクタについて、図面を参照して説明する。
図１（ａ）、（ｂ）は、本実施形態のプロジェクタを示す斜視図である。
図１（ａ）、（ｂ）に示すように、本実施形態のプロジェクタ１は、図示しない外部の画像供給装置（パーソナルコンピュータ等）や記憶媒体等から入力される画像信号（画像データ）に応じた画像（入力画像Ｇｉ）を、投写レンズ１３からスクリーンＳＣ等に投写するものである。また、プロジェクタ１は、その上面に、画像の表示及びタッチ操作が可能なタッチスクリーン３０を備えている。このため、投写されている画像と同一の画像（入力画像Ｇｉ）をタッチスクリーン３０に表示することができるとともに、タッチスクリーン３０に表示されている入力画像Ｇｉ上をタッチ操作することにより、図１（ａ）に示すように、入力画像Ｇｉの所望の位置を明示するための画像（ポインタＰＴ）を表示させたり、図１（ｂ）に示すように、入力画像Ｇｉ上に手書きの画像（メモＭＭ）を書き込んだりすることが可能になっている。
なお、ポインタＰＴで所望の位置を明示可能な状態（ポインタモード）と、メモＭＭを書き込み可能な状態（メモモード）とは、タッチスクリーン３０に対するタッチ操作によって切り換えることができる。
【００１９】
図２は、本実施形態のプロジェクタの概略構成を示すブロック図である。
図２に示すように、プロジェクタ１は、画像投写部１０、制御部２０、記憶部２１、操作信号受信部２２、画像入力部２３、画像処理部２４、描画制御部２５、画像合成部２６、ライトバルブ駆動部２７、ＵＳＢ（Universal Serial Bus）インターフェイス（Ｉ／Ｆ）部２８、タッチスクリーン３０、表示制御部３３、リモコンＲＣ等で構成されており、画像投写部１０には、光源部１１、光変調装置としての３つの液晶ライトバルブ１２Ｒ，１２Ｇ，１２Ｂ、投写光学系としての投写レンズ１３等が含まれている。
【００２０】
光源部１１は、高圧水銀ランプや、メタルハライドランプ等の放電ランプ１１ａと、放電ランプ１１ａが放射した光を液晶ライトバルブ１２Ｒ，１２Ｇ，１２Ｂ側に反射するリフレクタ１１ｂとを含んで構成されている。光源部１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２１】
液晶ライトバルブ１２Ｒ，１２Ｇ，１２Ｂは、一対の透明基板間に液晶が封入された液晶パネル等によって構成され、各透明基板の内面には、液晶に対して微小領域（画素）毎に駆動電圧を印加可能な透明電極（画素電極）が矩形状の領域（画素領域）内にマトリクス状に形成されている。
ライトバルブ駆動部２７が、入力される画像信号に応じた駆動電圧を各画素に印加することにより、各画素は、画像信号に応じた光透過率に設定される。つまり、光源部１１から射出された光は、この液晶ライトバルブ１２Ｒ，１２Ｇ，１２Ｂを透過することによって変調され、画像信号に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２２】
制御部２０は、ＣＰＵ（Central Processing Unit）や、各種データ等の一時記憶に用いられるＲＡＭ（Random Access Memory）等を備え、コンピュータとして機能するものである。制御部２０は、記憶部２１に記憶されている制御プログラムに従って動作することにより、前記各部２１，２２，２４〜２６，２８，３３の動作を統括制御する。
【００２３】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや各種データ等が記憶されている。
【００２４】
リモコンＲＣは、ユーザの各種指示を受け付けるための複数の操作ボタンを備えている。リモコンＲＣが備える操作ボタンとしては、電源のオン・オフを行うための「電源ボタン」、設定メニューを投写させる「メニューボタン」等がある。ユーザがリモコンＲＣの各種操作ボタンを操作すると、リモコンＲＣは、ユーザの操作内容に応じた赤外線の操作信号を発し、操作信号受信部２２がこれを受信して制御部２０に伝達する。
【００２５】
画像入力部２３には、ＰＣ（パーソナルコンピュータ）や映像再生装置等、図示しない外部の画像供給装置から各種形式の画像信号が入力される。画像入力部２３は、この画像信号を画像処理部２４で処理可能な形式の画像信号に変換し、変換後の画像信号を画像処理部２４に出力する。
【００２６】
画像処理部２４は、制御部２０の指示に従って、画像入力部２３から順次入力される画像信号に対して信号処理を施し、液晶ライトバルブ１２Ｒ，１２Ｇ，１２Ｂの各画素に印加する駆動電圧を規定するための画像データ、即ち、各画素の光透過率を表す複数の画素値からなる画像データを生成する。生成された画像データは、画像合成部２６に出力される。
【００２７】
描画制御部２５は、制御部２０の指示に基づいて、入力画像Ｇｉに合成するための画像（ポインタＰＴやメモＭＭ）を表す画像データを生成する。生成した画像データは、描画メモリ２５ａに記憶され、制御部２０の指示に基づいて、画像合成部２６に出力される。
【００２８】
画像合成部２６は、画像処理部２４から入力される画像データ（入力画像Ｇｉを表す画像データ）と、描画制御部２５から入力される画像データとを合成する。合成された合成画像データは、フレーム単位（画面単位）で表示メモリ（フレームメモリ）２６ａに記憶され、フレーム単位でライトバルブ駆動部２７、及び表示制御部３３に出力される。なお、描画制御部２５から合成すべき画像データが入力されない場合には、画像合成部２６は、画像処理部２４から入力された画像データをそのまま出力する。また、画像合成部２６は、所定のフレーム周波数（例えば、６０Ｈｚ）で画面が切り替わるように、順次入力される画像信号に応じて表示メモリ２６ａの内容を書き換える。
【００２９】
さらに、画像合成部２６は、記憶部２１に記憶されている画像データを制御部２０から受け取って、これをライトバルブ駆動部２７に出力することができる。制御部２０から画像データが入力された場合には、画像合成部２６は、この画像データを表示メモリ２６ａに記憶させ、ライトバルブ駆動部２７に出力する。
【００３０】
ライトバルブ駆動部２７は、画像合成部２６から入力されるフレーム単位の画像データに基づいて、３つの液晶ライトバルブ１２Ｒ，１２Ｇ，１２Ｂを駆動する。この結果、表示メモリ２６ａに記憶されている画像データに応じた画像（画像光）が画像投写部１０から投写される。
【００３１】
ＵＳＢインターフェイス部２８には、ＵＳＢ接続型のデバイスを接続可能な図示しないＵＳＢ端子（ＴｙｐｅＡ端子）が備えられている。ＵＳＢインターフェイス部２８は、制御部２０の指示に基づいて、ＵＳＢ端子に接続された外部の記憶媒体（ＵＳＢストレージデバイス）ＵＭとの間でデータの入出力を行うことができる。このため、制御部２０が記憶媒体ＵＭに記憶されている画像データを読み出して画像処理部２４に出力し、この画像データに基づいた画像を画像投写部１０から投写させたり、表示メモリ２６ａに記憶されている画像データ等を記憶媒体ＵＭに保存したりすることができる。
【００３２】
タッチスクリーン３０は、画像を表示する表示部としての表示装置３１と、表示装置３１上に固定されたタッチパネル３２とを備えており、表示装置３１は、表示制御部３３に接続されている。
表示装置３１は、一対の透明基板間に液晶が封入された液晶パネルと、この液晶パネルを駆動する駆動部（図示せず）等によって構成され、各透明基板の内面には、液晶に対して微小領域（画素）毎に駆動電圧を印加可能な透明電極（画素電極）が矩形状の領域（表示領域３１ａ）内にマトリクス状に形成されている。
【００３３】
表示制御部３３は、画像合成部２６から入力される画像データと、制御部２０から入力される所定の画像データとを組み合わせ、表示装置３１の表示領域３１ａに表示するための画像データを生成する。生成された画像データは、フレーム単位で表示メモリ３３ａに記憶され、フレーム単位で表示装置３１に出力される。表示装置３１は、この画像データに基づいた画像を表示領域３１ａに表示する。
【００３４】
図３は、表示装置３１の表示領域３１ａに表示される画像を示す説明図である。
図３に示すように、表示領域３１ａは、画像合成部２６から入力される画像データに基づく画像を表示する入力画像表示領域Ａｉと、プロジェクタ１に対して各種指示を行うためのボタン状の画像を表示するボタン表示領域Ａｂとに区分されている。
ボタン表示領域Ａｂに表示されるボタンには、設定メニューを表示するための「メニュー」ボタン、メニュー階層を１つ前の状態に戻す「戻る」ボタン、メニュー上でカーソルを移動させるための４つのカーソルボタン、メニュー上で項目を選択するための「決定」ボタン等がある。なお、設定メニューは、画像合成部２６で入力画像Ｇｉに合成されるものであるが、本明細書では、その詳細については省略する。
【００３５】
ボタン表示領域Ａｂには、さらに、操作モード（ポインタモード又はメモモード）を切り換える「操作切換」ボタン、表示モード（メモＭＭの表示・非表示等）を切り換える「表示切換」ボタン、入力画像表示領域Ａｉに表示されている画像を外部の記憶媒体ＵＭに記憶させる「キャプチャ」ボタン、加筆されたメモＭＭを消去させる「メモクリア」ボタン等がある。これらボタン状の画像を表す画像データは、予め記憶部２１に記憶されており、制御部２０がこれを読み出して、表示制御部３３に出力する。表示制御部３３は、画像合成部２６から入力される画像データに基づく画像を入力画像表示領域Ａｉに表示するとともに、制御部２０から入力される画像データに基づく画像をボタン表示領域Ａｂに表示する。
【００３６】
図２に戻って、タッチパネル３２は、ガラスや透明プラスチック等の光透過性を有する下側（表示装置３１側）基板と、プラスチックフィルム等の光透過性及び可撓性を有する上側基板（いずれも図示せず）とが所定の間隔をあけて対向配置された抵抗膜方式のタッチパネルであり、各基板の内面には、透明電極がほぼ全面に渡って形成されている。タッチパネル３２の上側基板には、タッチ操作（押圧操作）を行うための矩形状の領域（操作領域３２ａ）が備えられ、ユーザが指やペンによって操作領域３２ａ内をタッチ操作すると、上側基板が撓んで上下の透明電極が接触し、接触した位置（操作位置）に応じた信号（検出信号）が制御部２０に出力される。
【００３７】
ここで、表示装置３１の表示領域３１ａと、タッチパネル３２の操作領域３２ａとは、同一の形状及びサイズに設定されており、タッチパネル３２は、その操作領域３２ａと表示装置３１の表示領域３１ａとが上方から見て一致するように表示装置３１に固定されている。このため、ユーザは、表示領域３１ａに表示される画像の所望の位置をタッチ操作によって指示することができるようになっている。なお、タッチパネル３２は、抵抗膜方式に限られず、静電容量方式等、他の方式のタッチパネルを用いることも可能である。
【００３８】
次に、本実施形態のプロジェクタ１の動作について、図２及び図３を参照して説明する。
制御部２０は、その動作中、タッチパネル３２からの検出信号を定期的に（例えば、１秒間に数十回程度の頻度で）監視しており、タッチパネル３２がタッチ操作されている場合には、操作された位置を検出信号によって認識する。ここで、ボタン表示領域Ａｂに対応する位置がタッチ操作された場合には、制御部２０は、操作されたボタン、即ちユーザの指示内容を検出信号によって認識し、それに応じた動作を行う。一方、入力画像表示領域Ａｉに対応する位置が操作された場合には、制御部２０は、操作位置を検出信号によって認識し、操作位置のＸＹ座標を表す位置情報を描画制御部２５に出力する。
【００３９】
ここで、タッチスクリーン３０のボタン表示領域Ａｂに表示されているモード切換ボタンは、操作モードを切り換えるためのものであり、制御部２０のＲＡＭには、現在の操作モード（ポインタコード又はメモモード）を表す操作モード情報が記憶されている。ユーザによって操作切換ボタンが操作されると、制御部２０は、タッチパネル３２からの検出信号によってこれを検知し、ＲＡＭ上の操作モード情報を書き換えるとともに、新たな操作モード（切り換え後の操作モード）を表す信号を描画制御部２５に通知する。描画制御部２５は、制御部２０からこの通知を受け取ると、新たなた操作モードに応じた動作を行う。
【００４０】
操作切換ボタンが操作されて、操作モードがポインタモードになった場合には、描画制御部２５は、制御部２０から入力される位置情報に基づいて、入力画像Ｇｉ上の当該位置情報が表す位置にポインタＰＴが重畳されるような画像データを生成する。
【００４１】
図４（ａ）〜（ｄ）は、ポインタＰＴを重畳する際の動作を説明する説明図であり、（ａ）は、タッチスクリーン３０の表示領域３１ａ及び操作領域３２ａを示す図、（ｂ）は、描画制御部２５が生成する画像を示す図、（ｃ）は、画像処理部２４から画像合成部２６に入力される入力画像Ｇｉを示す図、（ｄ）は、画像合成部２６が生成する合成画像を示す図である。なお、入力画像Ｇｉは、液晶ライトバルブ１２Ｒ，１２Ｇ，１２Ｂの画素領域内において、Ｘｉ×Ｙｉ画素の解像度で表されるものとする。
【００４２】
ここで、図４（ａ）に示すように、入力画像表示領域Ａｉの左上の角を原点（０，０）、右方向をｘ方向、下方向をｙ方向としたｘｙ座標系をタッチスクリーン３０の操作領域３２ａ上に設定し、入力画像表示領域Ａｉの幅（ｘ方向寸法）をｘｔ、高さ（ｙ方向寸法）をｙｔとする。このとき、座標（ｘａ，ｙａ）で表される点Ｐａがタッチ操作されると、描画制御部２５は、制御部２０から入力される位置情報によって点Ｐａの位置を認識する。その後、描画制御部２５は、図４（ｂ）に示すように、入力画像Ｇｉと同一の解像度（Ｘｉ×Ｙｉ画素）を有する無地画像に対し、点Ｐａに対応する位置にポインタＰＴを描画する。具体的には、無地画像の左上の角を原点（０，０）、右方向をＸ方向、下方向をＹ方向としたＸＹ座標系において、（Ｘｉ・ｘａ／ｘｔ，Ｙｉ・ｙａ／ｙｔ）で表される位置（画素）を指し示すように矢印型のポインタＰＴを配置した画像データ（ポインタ画像Ｇｐを表す画像データ）を生成し、これを描画メモリ２５ａに書き込む。その後、描画制御部２５は、制御部２０の指示に基づいて、描画メモリ２５ａに書き込んだ画像データを画像合成部２６に出力する。
【００４３】
画像合成部２６は、描画制御部２５からポインタ画像Ｇｐを表す画像データが入力されると、ポインタ画像Ｇｐの背景部（ポインタＰＴ以外の無地の部位）ＢＧに、画像処理部２４から入力される入力画像Ｇｉ（図４（ｃ）参照）が合成されるようにデータ処理を施し、処理後の画像データを表示メモリ２６ａに書き込む。この結果、図４（ｄ）に示すように、入力画像ＧｉにポインタＰＴが重畳された合成画像Ｇｃ１が画像投写部１０から投写されるとともに、表示装置３１の入力画像表示領域Ａｉにも、同一の合成画像Ｇｃ１が表示される。
【００４４】
その後、ユーザがタッチ操作したまま操作位置を移動させると、描画制御部２５は、操作位置を追従するようにポインタＰＴの位置を変化させる。また、ユーザがタッチ操作を止めてタッチスクリーン３０から手やペンを離すと、描画制御部２５は、ポインタＰＴを描画せず、無地画像をそのまま画像合成部２６に出力する。
【００４５】
一方、操作モードがポインタモードの状態で操作切換ボタンが操作され、操作モードがメモモードになった場合には、描画制御部２５は、制御部２０から入力される位置情報に基づいて、入力画像Ｇｉ上の当該位置情報が表す位置に、タッチ操作の軌跡を表す画像（メモＭＭ）が重畳されるような画像データを生成する。
【００４６】
図５（ａ）〜（ｄ）及び図６（ａ）〜（ｅ）は、メモＭＭを重畳する際の動作を説明する説明図であり、図５（ａ）及び図６（ａ）は、タッチスクリーン３０の表示領域３１ａ及び操作領域３２ａを示す図、図５（ｂ）、図６（ｂ）、（ｄ）は、描画制御部２５が生成する画像を示す図、図５（ｃ）は、画像処理部２４から入力される入力画像Ｇｉを示す図、図５（ｄ）及び図６（ｃ）、（ｅ）は、画像合成部２６が生成する合成画像を示す図である。
【００４７】
図５（ａ）に示すように、ポインタモードの場合と同様、入力画像表示領域Ａｉの左上の角を原点（０，０）、右方向をｘ方向、下方向をｙ方向としたｘｙ座標系をタッチスクリーン３０の操作領域３２ａ上に設定し、入力画像表示領域Ａｉの幅（ｘ方向寸法）をｘｔ、高さ（ｙ方向寸法）をｙｔとする。このとき、座標（ｘａ，ｙａ）で表される点Ｐａがタッチ操作されると、描画制御部２５は、制御部２０から入力される位置情報によって点Ｐａの位置を認識する。その後、描画制御部２５は、図５（ｂ）に示すように、入力画像Ｇｉと同一の解像度（Ｘｉ×Ｙｉ画素）を有する無地画像に対し、点Ｐａに対応する位置に点画像ＳＰを描画する。具体的には、無地画像の左上の角を原点（０，０）、右方向をＸ方向、下方向をＹ方向としたＸＹ座標系において、（Ｘｉ・ｘａ／ｘｔ，Ｙｉ・ｙａ／ｙｔ）で表される位置（画素）に点画像ＳＰを配置した画像データ（メモ画像Ｇｍを表す画像データ）を生成し、これを描画メモリ２５ａに書き込む。その後、描画制御部２５は、制御部２０の指示に基づいて、描画メモリ２５ａに書き込んだ画像データを画像合成部２６に出力する。
【００４８】
画像合成部２６は、描画制御部２５からメモ画像Ｇｍを表す画像データが入力されると、メモ画像Ｇｍの背景部（点画像ＳＰ以外の無地の部位）ＢＧに、画像処理部２４から入力される入力画像Ｇｉ（図５（ｃ）参照）が合成されるようにデータ処理を施し、処理後の画像データを表示メモリ２６ａに書き込む。この結果、図５（ｄ）に示すように、点画像ＳＰを含むメモ画像Ｇｍが入力画像Ｇｉに重畳された合成画像Ｇｃ２が画像投写部１０からスクリーンＳＣに投写されるとともに、表示装置３１の入力画像表示領域Ａｉにも、同一の合成画像Ｇｃ２が表示される。
【００４９】
その後、例えば、点Ｐａから図６（ａ）に破線で示すような軌跡で、ユーザがタッチ操作したまま操作位置を移動させると、描画制御部２５は、制御部２０から入力される位置情報によって移動途中における操作位置を認識する。さらに、描画制御部２５は、メモ画像Ｇｍの当該操作位置に対応する位置に新たな点画像ＳＰを追加して、追加後の画像データ（メモ画像Ｇｍを表す画像データ）を画像合成部２６に出力する。このように、メモモードでは、描画制御部２５が、制御部２０から位置情報が入力されるごとに点画像ＳＰを追加しつづけることにより、メモ画像Ｇｍは、点画像ＳＰの集合Ｌによってタッチ操作の軌跡が表された画像（図６（ｂ）参照）となり、このメモ画像Ｇｍが入力画像Ｇｉに重畳される（図６（ｃ）参照）。
【００５０】
また、ユーザがタッチスクリーン３０から指やペンを離し、他の位置をタッチ操作した場合にも、描画制御部２５は、制御部２０から入力される位置情報によって新たな操作位置を認識し、メモ画像Ｇｍの当該操作位置に対応する位置から点画像ＳＰを追加していく。この結果、メモ画像Ｇｍには、点画像ＳＰの集合Ｌからなる手書きのメモＭＭが描画され（図６（ｄ）参照）、このメモ画像Ｇｍが入力画像Ｇｉ上に重畳される（図６（ｅ）参照）。
【００５１】
なお、メモＭＭの描画の過程は、スクリーンＳＣに投写される投写画像や、表示装置３１の入力画像表示領域Ａｉに表示される表示画像に即時に反映される。このため、タッチスクリーン３０にメモＭＭを書き込んでいるユーザ（説明者）は、タッチ操作する指やペンに追従するようにメモＭＭが描画されていくため、タッチスクリーン３０上に手書きしているかのような感覚でメモＭＭを書き込むことがでる。また、書き込まれたメモＭＭは、スクリーンＳＣに投写される投写画像によって他のユーザ（鑑賞者）にも視認される。
【００５２】
また、タッチスクリーン３０のボタン表示領域Ａｂ（図３参照）に表示されているメモクリアボタンは、メモ画像Ｇｍの内容をクリア（消去）して、無地の状態に戻すためのボタンであり、ユーザによってメモクリアボタンが操作されると、制御部２０は、タッチパネル３２からの検出信号によってこれを検知し、その旨を描画制御部２５に通知する。描画制御部２５は、制御部２０からこの通知を受け取ると、メモ画像Ｇｍをクリアして、点画像ＳＰを１つも含まない状態に戻す。この結果、入力画像Ｇｉ上に重畳されていたメモＭＭは消去され、新たなメモＭＭを一から生成することが可能な状態となる。
【００５３】
また、タッチスクリーン３０のボタン表示領域Ａｂに表示されている表示切換ボタンは、操作モードがメモモードの場合に使用可能であり、画像合成部２６から出力される画像の態様（表示モード）を切り換えるためのボタンである。
図７（ａ）〜（ｄ）は、表示切換ボタンによって切り換え可能な表示モードを示す説明図であり、それぞれ画像投写部１０から画像が投写された状態のスクリーンＳＣと、入力画像表示領域Ａｉに画像が表示された状態のタッチスクリーン３０（表示装置３１の表示領域３１ａ）とを示している。
【００５４】
表示切換ボタンによって切り換え可能な表示モードとしては、入力画像Ｇｉとメモ画像Ｇｍとの合成画像Ｇｃ２をスクリーンＳＣとタッチスクリーン３０の双方に表示する合成画像表示モード（図７（ａ）参照）、スクリーンＳＣとタッチスクリーン３０の双方に入力画像Ｇｉのみを表示する入力画像表示モード（図７（ｂ）参照）、スクリーンＳＣとタッチスクリーン３０の双方にメモ画像Ｇｍのみを出力するメモ画像表示モード（図７（ｃ）参照）、そして、スクリーンＳＣには無地画像を表示し、タッチスクリーン３０には入力画像Ｇｉを表示するプレビューモード（図７（ｄ）参照）の４つの表示モードがあり、表示切換ボタンをタッチ操作するごとに、４つの表示モードが順次切り換わるようになっている。なお、上述したメモモードの説明（図５及び図６参照）では、表示モードが合成画像表示モードである場合について述べている。また、制御部２０のＲＡＭには、現在の表示モードを表す表示モード情報が記憶されている。
【００５５】
表示切換ボタンがタッチ操作されると、制御部２０は、タッチパネル３２からの検出信号によってこれを検知し、ＲＡＭ上の表示モード情報を書き換えるとともに、新たな表示モード（切り換え後の表示モード）を表す信号を描画制御部２５及び画像合成部２６に通知する。描画制御部２５及び画像合成部２６は、制御部２０からこの通知を受け取ると、新たな表示モードに応じた動作を行う。なお、表示切換ボタンがタッチ操作された際の制御部２０、描画制御部２５、及び画像合成部２６は、本発明の合成切換手段に相当する。
【００５６】
合成画像表示モードの状態で表示切換ボタンがタッチ操作され、入力画像表示モードになった場合には、描画制御部２５は、画像合成部２６への画像データ（メモ画像Ｇｍ）の出力を停止する。この結果、図７（ｂ）に示すように、スクリーンＳＣ及びタッチスクリーン３０の双方には入力画像Ｇｉのみが表示され、メモ画像Ｇｍは表示されない。
【００５７】
入力画像表示モードの状態で表示切換ボタンがタッチ操作され、メモ画像表示モードになった場合には、制御部２０は、描画制御部２５に画像データ（メモ画像Ｇｍ）の出力を再開させ、画像合成部２６には、画像処理部２４から入力される画像データ（入力画像Ｇｉ）を無視させて、描画制御部２５から入力される画像データ（メモ画像Ｇｍ）のみを表示メモリ２６ａに記憶させる。この結果、図７（ｃ）に示すように、スクリーンＳＣ及びタッチスクリーン３０の双方に、メモ画像Ｇｍのみが表示され、入力画像Ｇｉは表示されない。
【００５８】
メモ画像表示モードの状態で表示切換ボタンがタッチ操作され、プレビューモードになった場合には、制御部２０は、全面が無地の無地画像Ｇｎを表す画像データを画像合成部２６に出力し、この画像データをライトバルブ駆動部２７に出力させる。さらに制御部２０は、画像合成部２６に指示をして、画像処理部２４から入力される画像データ（入力画像Ｇｉ）を表示制御部３３に出力させる。この結果、図７（ｄ）に示すように、スクリーンＳＣには画像投写部１０から無地画像Ｇｎが投写され、タッチスクリーン３０には入力画像Ｇｉが表示される。
【００５９】
このプレビューモードは、スクリーンＳＣに入力画像Ｇｉを投写する前に、説明者が入力画像Ｇｉの内容を確認する場合等に用いられる。なお、プロジェクタ１は、電源が投入された直後にはプレビューモードに移行するようになっており、光源部１１の発光状態が安定するまでの時間を利用して、ユーザ（説明者）は、入力画像Ｇｉの内容を確認することができる。プレビューモードの状態で表示切換ボタンがタッチ操作されると、制御部２０は、表示状態を合成画像表示モードに戻す。なお、プレビューモード時に画像投写部１０から投写する画像は無地画像Ｇｎに限られず、製造メーカのロゴを表す画像等、予め記憶部２１等に記憶されている他の画像を投写するようにしてもよい。
【００６０】
また、図３に示したように、タッチスクリーン３０のボタン表示領域Ａｂには、キャプチャボタン、スタイルボタン、及びズームボタンが備えられている。
キャプチャボタンは、プレビューモード以外の表示モードにおいて使用可能であり、タッチスクリーン３０の入力画像表示領域Ａｉに表示されている画像を保存するためのボタンである。キャプチャボタンがタッチ操作されると、制御部２０は、画像合成部２６の表示メモリ２６ａに記憶されている画像データをＪＰＥＧ（Joint Photographic Experts Group）形式等の画像形式に変換した後、ＵＳＢインターフェイス部２８に接続されている記憶媒体ＵＭに記憶する。なお、キャプチャボタンがタッチ操作された際の制御部２０、画像合成部２６、ＵＳＢインターフェイス部２８は、本発明の画像記憶手段に相当する。
【００６１】
スタイルボタンは、ポインタモードにおけるポインタＰＴ、及びメモモードにおける点画像ＳＰの色や形状等を変更するためのボタンである。ユーザは、スタイルボタンをタッチ操作した後に所定の操作を行うことにより、ポインタＰＴの形状やサイズ、色、或いは、点画像ＳＰのサイズ（即ち描画する線の太さ）や点画像ＳＰの色を変更することができるようになっている。
【００６２】
ズームボタンは、タッチスクリーン３０の入力画像表示領域Ａｉに表示されている画像を拡大表示するためのボタンである。
図８（ａ）〜（ｃ）は、拡大表示を説明するための説明図である。ここで、（ａ）は、拡大前の状態（通常状態）、（ｂ）は、拡大後の状態（ズーム状態）、（ｃ）は、ズーム状態の画像にメモＭＭを書き込んだ状態であり、それぞれ画像投写部１０から画像が投写された状態のスクリーンＳＣと、入力画像表示領域Ａｉに画像が表示された状態のタッチスクリーン３０（表示装置３１の表示領域３１ａ）とを示している。
【００６３】
図８（ａ）に示すように、ユーザがズームボタンをタッチ操作した後、所望の２点（例えば、点Ｐｂ，Ｐｃ）をさらにタッチ操作すると、制御部２０は、画像合成部２６に指示をして、操作された２点を対角とする矩形領域Ｚ内を拡大してタッチスクリーン３０に表示させる。画像合成部２６は、この指示を受けると、表示メモリ２６ａに記憶されている画像データをライトバルブ駆動部２７に出力する一方で、矩形領域Ｚ内を拡大処理した画像データを表示制御部３３に出力する。これにより、図８（ｂ）に示すように、タッチスクリーン３０の入力画像表示領域Ａｉに拡大画像Ｇｚが表示される。なお、ズームボタンがタッチ操作された際の制御部２０及び画像合成部２６は、本発明の拡大表示手段に相当する。
【００６４】
図８（ｃ）に示すように、ユーザは、拡大画像Ｇｚに対してもメモＭＭを書き込むことができる。ズーム状態に移行するとき、制御部２０は、描画制御部２５に対して、入力画像Ｇｉ内の矩形領域Ｚの位置や拡大率等の情報を通知するようになっており、描画制御部２５は、この通知を受けると、これ以降に書き込まれるメモＭＭを、通知された拡大率の逆数倍に縮小して元の矩形領域Ｚの位置に収めたメモ画像Ｇｍを生成し、これを画像合成部２６に出力する。このため、通常状態では書き込みが困難な細かい文字や図形でも、ズーム状態では容易に書き込むことが可能となる。
ズーム状態において、再度ズームボタンがタッチ操作されると、制御部２０は、画像合成部２６及び描画制御部２５に指示をして通常状態に復帰させる。
【００６５】
以上説明したように、本実施形態のプロジェクタ１によれば、以下の効果を得ることができる。
（１）本実施形態のプロジェクタ１によれば、タッチパネル３２の操作領域３２ａをタッチ操作することにより、入力画像Ｇｉ上の所望の位置をポインタＰＴで明示することが可能となる。この結果、支持棒やレーザポインタを用いることなく入力画像Ｇｉ上の所望の位置に注目させることが可能となるため、プロジェクタ１を用いた発表や説明を行う際の利便性が向上する。
【００６６】
（２）本実施形態のプロジェクタ１によれば、画像合成部２６が、タッチパネル３２の操作領域３２ａになされたタッチ操作の軌跡を、入力画像Ｇｉ上に合成するため、入力画像Ｇｉ上に手書きのメモＭＭを重畳することが可能となる。この結果、補足説明を行うために投写面の近傍に移動する必要がなくなるうえ、手書きするためのホワイトボードやマジックペンを準備する必要がなくなり、利便性が向上する。
【００６７】
（３）本実施形態のプロジェクタ１によれば、光透過性を有するタッチパネル３２が表示装置３１上に備えられているため、入力画像Ｇｉ上の所望の位置をポインタＰＴで示したり、入力画像Ｇｉ上にメモＭＭを手書きしたりする際に、重なって表示される入力画像Ｇｉを見ながらタッチ操作をすることが可能となる。この結果、ポインタＰＴで示す位置や、メモＭＭを書き込む位置を、より正確に特定することが可能となる。
【００６８】
（４）本実施形態のプロジェクタ１によれば、表示切換ボタンをタッチ操作することにより、入力画像Ｇｉにメモ画像Ｇｍが重畳された合成画像表示モードや、入力画像Ｇｉのみを表示してメモ画像Ｇｍを表示させない入力画像表示モード等に切り換えることができるため、メモ画像Ｇｍを容易に非表示にすることが可能となるうえ、一度非表示にしたメモ画像Ｇｍを容易に復元することが可能となる。
【００６９】
（５）本実施形態のプロジェクタ１によれば、キャプチャボタンをタッチ操作することにより、手書きしたメモ画像Ｇｍ等を記憶媒体ＵＭに保存するため、説明の終了後等にこれを参照することが可能となり、利便性が向上する。
【００７０】
（６）本実施形態のプロジェクタ１によれば、入力画像Ｇｉの一部がタッチスクリーン３０に拡大表示された状態でタッチ操作がなされた場合に、そのタッチ操作の軌跡を表すメモＭＭを縮小して入力画像Ｇｉに合成するため、細かな文字や図形等を手書きすることが容易になる。
【００７１】
（変形例）
なお、本発明の実施形態は、以下のように変更してもよい。
前記実施形態では、操作モードがポインタモードの場合に、矢印型のポインタＰＴを表示するようにしているが、ポインタＰＴの形状は矢印型に限られず、他の形状であってもよい。例えば、レーザポインタを用いた場合のように、点画像ＳＰをポインタＰＴとして表示するようにしてもよい。
【００７２】
前記実施形態において、タッチスクリーン３０をプロジェクタ１の本体から分離可能な構成とし、本体との間で、有線又は無線による通信を行って、画像データや検出信号の送受信を行うようにしてもよい。この構成によれば、説明者の位置の制約がなくなるうえ、タッチスクリーン３０によってプロジェクタ１の遠隔操作が可能となるため、リモコンＲＣが不要となる。
【００７３】
前記実施形態では、キャプチャボタンをタッチ操作することにより、表示メモリ２６ａに記憶されている画像データを記憶媒体ＵＭに記憶することが可能になっているが、プロジェクタ１がプリンタに接続可能な構成である場合には、画像データをプリンタに出力するようにしてもよい。また、プロジェクタ１がＬＡＮ（Local Area Network）等のネットワークに接続可能な構成である場合には、ネットワーク経由で他の装置（パーソナルコンピュータ、プリンタ、他のプロジェクタ等）に画像データを転送できるようにしてもよい。
【００７４】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の出射方向を、画素としてのマイクロミラー毎に制御することにより、光源から出射した光を変調する微小ミラーアレイデバイス等を用いることもできる。
【００７５】
前記実施形態では、光源部１１として放電型光源ランプを用いているが、ＬＥＤ（Light Emitting Diode：発光ダイオード）光源等の固体光源や、その他の光源を用いることもできる。
【図面の簡単な説明】
【００７６】
【図１】（ａ）、（ｂ）は、プロジェクタを示す斜視図。
【図２】プロジェクタの概略構成を示すブロック図。
【図３】表示装置の表示領域に表示される画像を示す説明図。
【図４】（ａ）〜（ｄ）は、ポインタを重畳する際の動作を説明する説明図であり、（ａ）は、タッチスクリーンの表示領域及び操作領域を示す図、（ｂ）は、描画制御部が生成する画像を示す図、（ｃ）は、画像処理部から画像合成部に入力される入力画像を示す図、（ｄ）は、画像合成部が生成する合成画像を示す図。
【図５】（ａ）〜（ｄ）は、メモを重畳する際の動作を説明する説明図であり、（ａ）は、タッチスクリーンの表示領域及び操作領域を示す図、（ｂ）は、描画制御部が生成する画像を示す図、（ｃ）は、画像処理部から入力される入力画像を示す図、（ｄ）は、画像合成部が生成する合成画像を示す図。
【図６】（ａ）〜（ｅ）は、メモを重畳する際の動作を説明する説明図であり、（ａ）は、タッチスクリーン３０の表示領域及び操作領域を示す図、（ｂ）、（ｄ）は、描画制御部が生成する画像を示す図、（ｃ）、（ｅ）は、画像合成部が生成する合成画像を示す図。
【図７】（ａ）〜（ｄ）は、表示切換ボタンによって切り換え可能な表示モードを示す説明図。
【図８】（ａ）〜（ｃ）は、拡大表示を説明するための説明図。
【符号の説明】
【００７７】
１…プロジェクタ、１０…画像投写部、１１…光源部、１１ａ…放電ランプ、１１ｂ…リフレクタ、１２Ｒ，１２Ｇ，１２Ｂ…液晶ライトバルブ、１３…投写レンズ、２０…制御部、２１…記憶部、２２…操作信号受信部、２３…画像入力部、２４…画像処理部、２５…描画制御部、２５ａ…描画メモリ、２６…画像合成部、２６ａ…表示メモリ、２７…ライトバルブ駆動部、２８…ＵＳＢインターフェイス部、３０…タッチスクリーン、３１…表示装置、３１ａ…表示領域、３２…タッチパネル、３２ａ…操作領域、３３…表示制御部、３３ａ…表示メモリ、Ａｂ…ボタン表示領域、Ａｉ…入力画像表示領域、ＢＧ…背景部、Ｇｃ１，Ｇｃ２…合成画像、Ｇｉ…入力画像、Ｇｍ…メモ画像、Ｇｎ…無地画像、Ｇｐ…ポインタ画像、Ｇｚ…拡大画像、ＭＭ…メモ、ＰＴ…ポインタ、ＲＣ…リモコン、ＳＣ…スクリーン、ＳＰ…点画像、ＵＭ…記憶媒体、Ｚ…矩形領域。
【図１】
2008122650.tif 000003
【図２】
2008122650.tif 000004
【図３】
2008122650.tif 000005
【図４】
2008122650.tif 000006
【図５】
2008122650.tif 000007
【図６】
2008122650.tif 000008
【図７】
2008122650.tif 000009
【図８】
2008122650.tif 000010